(57)【特許請求の範囲】
【請求項１】
ｎを１以上の整数とする時、ｎ入力部およびｎ出力部に接続された信号処理部を備えた音響機器の設定方法であって、
複数のコンフィグデータを用意する第１ステップと、
複数のスピーカに対応する複数のプリセットを用意する第２ステップと、
前記音響機器の入力構成および出力構成についてユーザは選択操作を行い、当該選択操作の選択結果に基づいて複数のコンフィグデータの中から１つのコンフィグデータを選択する第３ステップと、
選択されたコンフィグデータに対応するスピーカを、前記複数のスピーカの中から抽出する第４ステップと、
抽出されたスピーカの中からの１のスピーカの選択を、ユーザから受け取る第５ステップと、
選択されたコンフィグデータと、選択されたスピーカに対応するプリセットを、前記信号処理部が行う音信号処理に適用する第６ステップと、
を備えることを特徴とする音響機器の設定方法。
【請求項２】
前記複数のコンフィグデータは、それぞれ、前記ｎ出力部に接続されるｎスピーカのタイプを指定し、
前記第４ステップでは、前記複数のスピーカの中から、前記コンフィグデータにより指定されたタイプのスピーカを抽出することを特徴とする請求項１に記載の音響機器の設定方法。
【請求項３】
前記複数のコンフィグデータは、前記タイプとして、全域システム、または、低域システムを指定することを特徴とする請求項２に記載の音響機器の設定方法。
【請求項４】
前記複数のコンフィグデータには、前記タイプとしてバイアンプを指定するコンフィグデータが含まれることを特徴とする請求項３に記載の音響機器の設定方法。
【請求項５】
前記複数のコンフィグデータは、それぞれ、前記信号処理部における、前記ｎ入力部から前記ｎ出力部までの音信号の経路と、その経路における処理ブロックの音信号処理とを規定することを特徴とする請求項２ないし４のいずれかに記載の音響機器の設定方法。
【請求項６】
前記複数のコンフィグデータは、前記処理ブロックのクロスオーバの動作を指定し、
前記クロスオーバのカットオフ周波数は、前記第５ステップで選択されたスピーカに対応するプリセットに基づいて決定されることを特徴とする請求項５に記載の音響機器の設定方法。
【請求項７】
前記第５ステップで選択されたスピーカに対応するプリセットは、当該スピーカの周波数特性を平坦化するイコライザのパラメータを含むことを特徴とする請求項１ないし６のいずれかに記載の音響機器の設定方法。
【請求項８】
前記第５ステップで選択されたスピーカに対応するプリセットは、当該スピーカの許容入力を示すパラメータを含むことを特徴とする請求項１ないし７のいずれかに記載の音響機器の設定方法。
【発明の詳細な説明】
【技術分野】
【０００１】
この発明は、スピーカの使用形態に合わせた設定を容易に行うことができるパワーアンプ等の音響機器の設定方法に関する。
【背景技術】
【０００２】
従来の信号処理機能を有さないパワーアンプでは、スピーカを最適に鳴らすために、内部にイコライザやフィルタを備え、スピーカから放音される音の特性を均一にしたり、音作りするためのスピーカプロセッサを前段に接続する使い方もあった。
そのスピーカプロセッサの例を非特許文献１に示す。このスピーカプロセッサは、イコライザーやディレイ等、スピーカー調整用の各種機能のコンポーネントを備え、ユーザが各コンポーネントのパラメータを変更して、信号処理の効果を調整する。スピーカプロセッサを上手く調整すれば、種々のスピーカーに、最適なプロセッシングをかけることができる。
【先行技術文献】
【非特許文献】
【０００３】
【非特許文献１】ヤマハ株式会社  SPEAKER PROCESSOR SP2060 取扱説明書［online］, ［平成２８年  １月２７日検索］，インターネット<http://download.yamaha.com/api/asset/file?language=ja&site=countrysite-master.prod.wsys.yamaha.com&asset_id=47915>
【発明の概要】
【発明が解決しようとする課題】
【０００４】
スピーカシステムのタイプには、全可聴帯域をカバーする全域システム、可聴帯域中の低域だけを担当するサブウーファがある。また、全域システムの中には、低域スピーカと高域スピーカを備え、その各スピーカの専用の入力端子を備えた、バイアンプ接続可能なシステムがある。また、各スピーカシステムは、同じタイプのシステムであってもそのシステム特有の音特性を有している。例えば、出せる周波数帯域幅が異なっていたり、その帯域内の出力音圧レベルや許容入力電力が異なっていたりする。また、複数のスピーカシステムが組み合わされて使用される場合もある。ユーザは、スピーカプロセッサを用いて、パワーアンプの各チャンネル（ｃｈ）の出力信号を、そのｃｈに接続されているスピーカシステムに適した特性に調整すべきである。また、ユーザは、スピーカの使用形態に応じて、スピーカプロセッサ内の信号経路等を適宜設定すべきである。
【０００５】
しかしながら、スピーカプロセッサに、使用形態やスピーカの特性に合わせて、信号経路や各コンポーネントのパラメータ値を設定することは、スキルの低いユーザや初心者には難しいという問題があった。
【０００６】
そこで、本発明は、スキルの低いユーザであってもスピーカの使用形態に合わせた設定を容易に行えるパワーアンプ等の音響機器の設定方法を提供することを目的としている。
【課題を解決するための手段】
【０００７】
上記目的を達成するために、本発明の音響機器の設定方法は、ｎを１以上の整数とする時、ｎ入力部およびｎ出力部に接続された信号処理部を備えた音響機器の設定方法であって、複数のコンフィグデータを用意する第１ステップと、複数のスピーカに対応する複数のプリセットを用意する第２ステップと、前記音響機器の入力構成および出力構成についてユーザは選択操作を行い、当該選択操作の選択結果に基づいて複数のコンフィグデータの中から１つのコンフィグデータを選択する第３ステップと、選択されたコンフィグデータに対応するスピーカを、前記複数のスピーカの中から抽出する第４ステップと、抽出されたスピーカの中からの１のスピーカの選択を、ユーザから受け取る第５ステップと、選択されたコンフィグデータと、選択されたスピーカに対応するプリセットを、前記信号処理部が行う音信号処理に適用する第６ステップとを備えることを最も主要な特徴としている。
本発明は、上記のように方法として実施する他、システム、装置等、任意の態様で実施することができる。
【発明の効果】
【０００８】
本発明の音響機器の設定方法では、まず、ユーザの選択操作に応じて、複数のコンフィグデータの中から１つのコンフィグデータを選択する。次に、選択されたコンフィグデータに対応するスピーカを複数のスピーカの中から抽出し、ユーザが、その抽出されたスピーカの中から１のスピーカを選択する。そして、選択されたコンフィグデータと、選択されたスピーカに対応するプリセットとが、信号処理部が行う信号処理に適用される。各コンフィグデータには、どういうタイプのスピーカを接続するかの情報が入っており、そのタイプに基づいてスピーカの選択肢を絞り込むことで、ユーザは、スピーカの使用形態に合わせた設定を容易に行うことができる。
【図面の簡単な説明】
【０００９】
【図１】本発明の設定方法の１つの実施形態であるパワーアンプ１の構成を示すブロック図である。
【図２】パワーアンプ１の操作パネルを示す図である。
【図３】パワーアンプ１のデジタル信号処理部２１の信号処理のブロック図である。
【図４】デジタル信号処理部２１のＳＰ信号処理４３のブロック図である。
【図５】デジタル信号処理部２１のルート制御ａ，ｂ内の接続を示す図である。
【図６】パワーアンプ１のアンプモードを説明するためのテーブルである。
【図７】本発明に係るパワーアンプ設定処理で表示される出力構成のアイコン例とアンプモードのアイコン例である。
【図８】本発明に係るコンフィグウィザード処理のフローチャートと、各処理ステップで表示される表示画面を示す図である。
【発明を実施するための形態】
【００１０】
以下、本発明を実施するための形態を図面に基づいて具体的に説明する。
まず、図１に、本発明の設定方法の１つの実施形態であるパワーアンプ１の構成を示すブロック図を示す。
図１のパワーアンプ１は、基本的にＡｃｈ（A channel）とＢｃｈ（B channel）との２ｃｈ構成であり、バス２４で接続された、ＣＰＵ（Central Processing Unit）１０、フラッシュメモリ１１、ＲＡＭ（Random Access Memory）１２、その他Ｉ／Ｏ１３、操作子１４、表示器１５と、波形入力部２０、デジタル信号処理部２１、D/A・A/D部２２、アナログ電力増幅部２３とを備えている。上記したデジタル信号処理部２１は、１乃至複数のＤＳＰ（Digital Signal Processor）で構成される。
【００１１】
このうちＣＰＵ１０は、パワーアンプ１の動作を統括制御する制御手段であり、メモリ１１に記憶された制御プログラムを実行することにより、操作子１４の操作に応じて、パラメータを編集したり、表示器１５を制御したり、デジタル信号処理部２１の信号処理を制御する。フラッシュメモリ１１は、書き換え可能な不揮発メモリであり、前記制御プログラムに加え、複数のコンフィグデータ、複数のスピーカに対応する複数のＳＰプリセット等を記憶する。複数のコンフィグデータの１つが、後述するアンプモードで特定され、各コンフィグデータは、入力部から出力部までの音信号の経路と、その経路における信号処理とを規定する。ＲＡＭ１２は、ＣＰＵ１０が各種のデータを書き込み及び読み出しする揮発性メモリであり、ＣＰＵ１０のワークメモリ、アンプ１の現在の動作を制御する複数パラメータを記憶するカレントメモリとして使用される。その他Ｉ／Ｏ１３は、種々の外部機器を接続して通信を行うためのインタフェースである。その他Ｉ／Ｏ１３における通信に用いる規格は、イーサネット（商標）、ＵＳＢ（Universal Serial Bus）等、任意のものを採用することができ、有線無線も問わない。表示器１５は、ＣＰＵ１０の制御に従って種々の情報を表示する表示手段であり、例えば液晶パネル（ＬＣＤ）や発光ダイオード（ＬＥＤ）によって構成される。
【００１２】
音信号の入力部から出力部までの経路の構成について説明すると、波形入力部２０は、アンプ１の２つの入力端子を介して、外部ソース２からアナログのＡｃｈとＢｃｈの２つの音信号（入力信号）を受け取り、それぞれ、デジタルの音信号に変換してデジタル信号処理部２１へ供給する。デジタル信号処理部２１は、そのデジタルの２つの音信号に対し、クロスオーバー処理、ディレイ処理、イコライザ処理、リミッタ処理、ダイナミクス処理などの信号処理を施し、処理済みの２つの音信号をD/A・A/D部２２へ出力する。D/A・A/D部２２は、デジタルの２つの各音信号をアナログの音信号に変換し、アナログ電力増幅部２３に供給する。アナログ電力増幅部２３は、アナログの２つの各音信号を電力増幅し、電力増幅されたＡｃｈとＢｃｈの音信号（出力信号）をスピーカ端子に接続された１乃至２のスピーカ３へ出力する。
【００１３】
パワーアンプ１の操作パネルの構成を図２に示す。図２に示すように、操作パネル中央の上側に矩形状の表示器１５が、左側下部にシーソー型の電源スイッチ３１が設けられる。スイッチ３１の右側にＡｃｈの音信号のゲインを制御するＡｃｈつまみ３０ａと「Ａ」が表記されたＡｃｈボタン３０ｂとが縦に配置され、その右側にメニューキー（Menu）３０ｃとリターンキー３０ｄが横に並んで配置される。さらに、その右側にプッシュスイッチ付きのロータリーエンコーダー（以下、「エンコーダー」という）３０ｅ、その右側にＢｃｈの音信号のゲインを制御するＢｃｈつまみ３０ｆと「Ｂ」が表記されたＢｃｈボタン３０ｇとが縦に配置される。また、電源スイッチ３１の上側に電源ランプ（POWER）と警告ランプ（ALERT）とが配置され、Ａｃｈボタン３０ｂの上側に第１ランプ（PL1）、Ｂｃｈボタン３０ｇの上側に第２ランプ（PL2）が配置される。ユーザが、Ａｃｈつまみ３０ａあるいはＢｃｈつまみ３０ｆを操作すると、その操作量に応じて、アンプ１におけるＡｃｈあるいはＢｃｈの信号ゲインが、ＣＰＵ１０により制御される。図２では、表示器１５に、ＡｃｈとＢｃｈの現在のゲインを主に表示するホーム画面が表示されている。
【００１４】
次に、図３にデジタル信号処理部２１の実行する信号処理のブロック図を示す。上段の矢印がＡｃｈであり、下段の矢印がＢｃｈである。
この図に示すように、波形入力部２０からのＡｃｈとＢｃｈの２つの音信号は、符号４０で示すルート制御ａのブロックに供給される。ルート制御ａでは、ユーザにより選択された入力構成に応じて、図５（ａ）に示されるDUAL／PARALLEL／SUMの何れかの接続を行う。(a1)DUALでは、供給されたＡｃｈの音信号をＡｃｈの音信号として出力し、供給されたＢｃｈの音信号をＢｃｈの音信号として出力する。(a2)PARALLELでは、供給されたＡｃｈの音信号をＡｃｈとＢｃｈの２つの音信号として出力する。(a3)SUMでは、供給されたＡｃｈとＢｃｈの２つの音信号を混合して、その和の音信号をＡｃｈとＢｃｈの２つの音信号として出力する。ルート制御ａからのＡｃｈとＢｃｈの２つの音信号は、それぞれ入力側処理を行う２つのＩＮ信号処理４１ａ，４１ｂへ供給され、各ｃｈのＩＮ信号処理４１ａ，４１ｂでは、直列接続された複数ブロック（マルチバンドコンプ、ディレイ等）により、その各ｃｈに接続されたスピーカとは無関係に、共通の信号処理を供給された音信号に施す。ＩＮ信号処理部の各ブロックが信号処理に用いるパラメータセットは、後述するコンフィグデータの適用時に、所定値に初期設定される。
【００１５】
また、ＩＮ信号処理４１ａ，４１ｂから出力されたＡｃｈとＢｃｈの音信号は、符号４２で示すルート制御ｂのブロックに供給される。ルート制御ｂでは、ユーザにより選択された入力構成に応じて、図５（ｂ）に示されるDUAL／PARALLEL／SINGLEの何れかの接続を行う。(b1)DUALでは、供給されたＡｃｈの音信号をＡｃｈの音信号として出力し、供給されたＢｃｈの音信号をＢｃｈの音信号として出力する。(b2)PARALLELでは、供給されたＡｃｈの音信号をＡｃｈとＢｃｈの２つの音信号として出力する。(b3)SINGLEでは、供給されたＡｃｈの音信号をＡｃｈの音信号として出力し、無音の音信号をＢｃｈの音信号として出力する。ルート制御ｂからのＡｃｈとＢｃｈの２つの音信号は、それぞれ各ｃｈに接続されたスピーカ３に応じた信号処理を行う２つのＳＰ信号処理４３ａ，４３ｂへ供給される。ＳＰ信号処理４３ａ，４３ｂの信号処理の一例のブロック図を図４に示す。この図に示すように、ＳＰ信号処理４３ａ，４３ｂでは、縦続接続されたクロスオーバー５０、ディレイ５１、イコライザ（ＥＱ）５２、リミッタ５３の複数ブロックにより構成される。ＳＰ信号処理部の各ブロックが用いるパラメータセットは、コンフィグデータの適用時に、後述するアンプモードとＳＰプリセットに基づいて初期設定される。
【００１６】
パワーアンプ１に接続されるスピーカ３には種々のタイプがあり、その組み合わせも様々になる。例えば、低域から高域までの全可聴帯域をカバーするタイプ（FULL：全域システム）、可聴帯域中の低域を担当するタイプ（SUB：サブウーファ）があり、さらに全域システムの中には、低域スピーカ用端子と高域スピーカ用端子を備えバイアンプ接続が可能なタイプ（BI-AMP：バイアンプ）がある。これらのタイプのスピーカは、使用目的に応じて適宜組み合わせて使用される。アンプ１に接続されるスピーカ３のタイプや使用形態に応じて、デジタル信号処理部２１の入力構成および出力構成が設定される。[出力構成]は、アンプ１のＡｃｈとＢｃｈの２出力端子に接続する１乃至２のスピーカ３のタイプや、その使用形態に応じてユーザが設定する。そして、設定された[出力構成]に応じて、アンプ１が出力する２つの各音信号の構成（どのタイプのスピーカ用の音信号か）が決まる。また、[入力構成]は、アンプ１の複数ｃｈの入力信号を全部使うか、一部だけを使うか、および、全部を使う場合に、入力信号を混合して使うか否かに基づいてユーザが設定し、設定された[入力構成]に応じて、アンプ１が受け取る音信号の構成（使う入力信号の数）と、デジタル信号処理部２１における各処理ブロックが受け取る音信号の構成（どのｃｈの入力信号、又は混合信号か）が決まる。
【００１７】
設定された出力構成および入力構成に基づいて、パワーアンプ１にどのようなスピーカ３を接続して、どのような信号を入力するか規定するアンプモードが決まる。本発明にかかるパワーアンプの設定方法では、ユーザが、まず１つの出力構成を選択し、次に、絞られた候補の中から入力構成を選択し、選択された出力構成と入力構成とに基づいて１つのアンプモードを選択することを特徴としている。
選択肢となる複数の出力構成と複数の入力構成のマトリクスとして示されるアンプモードのテーブルを図６に示す。このテーブルは、６つの出力構成が並べられた行と、５つの入力構成が並べられた列を有する。テーブルの全ての選択枠（セル）は３０あり、それぞれの選択枠にアンプモードを設定可能ではあるが、本発明においては必要性の薄いアンプモードを省略して、選択肢を限られたモード数、例えば１５モードに限定していることを特徴としている。この１５のアンプモードの１つが、ユーザが選択した出力構成と入力構成とに基づいて選択される。出力構成の各選択肢について説明すると、[FULL＋FULL]は、アンプ１のＡｃｈとＢｃｈの２出力端子に、全可聴帯域をカバーするタイプ（FULLタイプ）のスピーカシステム（全域システム）を１台ずつ（計２台）接続する出力構成である。このスピーカシステムは、1wayに限らず、2wayや3wayでもよい。この場合、各スピーカシステムには、アンプ１から全可聴帯域の音信号が供給される。
【００１８】
[SUB＋SUB]は、アンプ１のＡｃｈとＢｃｈの２出力端子に、可聴周波数の低域を担当するタイプ（SUBタイプ）のスピーカシステム（サブウーファ）を１台ずつ（計２台）接続する出力構成である。対応するコンフィグデータを適用すると、各スピーカシステムには、アンプ１から低域の音信号が供給される。
[FULL＋SUB]は、アンプ１のＡｃｈの出力端子にFULLタイプのスピーカシステムを、アンプ１のＢｃｈの出力端子にSUBタイプのスピーカシステムをそれぞれ接続する出力構成である。対応するコンフィグデータを適用すると、FULLタイプのスピーカシステムには、アンプ１から全可聴帯域のうち低域がカットされた音信号が供給され、SUBタイプのスピーカシステムには、その低域の音信号が供給される。
【００１９】
[BI-AMP]は、バイアンプ接続可能なタイプ（BI-AMPタイプ）のスピーカシステムを用意し、アンプ１のＡｃｈの出力端子に、そのBI-AMPタイプのスピーカシステムの高域スピーカ用端子を、アンプ１のＢｃｈの出力端子に、そのBI-AMPタイプのスピーカシステムの低域スピーカ用端子をそれぞれ接続してバイアンプ駆動する出力構成である。対応するコンフィグデータを適用すると、高域スピーカ用端子には、アンプ１から全可聴帯域のうち低域がカットされた音信号が供給され、低域スピーカ用端子には、その低域の音信号が供給される。
[FULL(BOOST)]は、アンプ１のＡｃｈの出力端子に、FULLタイプのスピーカシステムを１台接続し、アナログ電力増幅部２３で供給可能な全電力をＡｃｈの電力増幅に使うことにより、その１台のスピーカシステムをより強力に駆動する出力構成である。アンプ１のＢｃｈの出力を無音信号にし、Ｂｃｈ出力の保護回路の制限を緩めることで、スピーカシステムを２台接続しているときに比べ、１台のスピーカシステムをより大きな音で鳴らせる（Boost動作）。対応するコンフィグデータを適用すると、Ａｃｈのスピーカシステムには、アンプ１から全可聴帯域の音信号が供給され、仮に、Ｂｃｈにスピーカを接続したとしても、そのスピーカシステムには無音の音信号が供給され音は鳴らない。
[SUB(BOOST)]は、アンプ１のＡｃｈの出力端子に、SUBタイプのスピーカシステムを１台接続し、全電力をＡｃｈの電力増幅に用いて、そのスピーカシステムを強力に駆動する出力構成である。上記と同様に、１台のスピーカシステムを、より大きな音で鳴らせる（Boost動作）。
【００２０】
次に、ユーザが指定する入力構成について説明すると、［入力２ｃｈ、全段２ｃｈ］は、ユーザがアンプ１のＡｃｈとＢｃｈに独立した２つの音信号を入力し、対応するコンフィグデータにより、アンプ１は、Ａｃｈの入力信号をＩＮ信号処理４１ａとＳＰ信号処理４３ａで処理するとともに、Ｂｃｈの入力信号をＩＮ信号処理４１ｂとＳＰ信号処理４３ｂで処理する入力構成である。
［入力１ｃｈ、全段２ｃｈ］は、ユーザが、パワーアンプ１のＡｃｈに１つの音信号を入力し、対応するコンフィグデータにより、アンプ１は、Ａｃｈの入力信号を、ＩＮ信号処理４１ａとＳＰ信号処理４３ａ、および、ＩＮ信号処理４１ｂとＳＰ信号処理４３ｂで並列に処理する入力構成である。
［入力１ｃｈ、後段２ｃｈ］は、ユーザが、アンプ１のＡｃｈに１つの音信号を入力し、対応するコンフィグデータにより、アンプ１は、Ａｃｈの入力信号をＩＮ信号処理４１ａで処理した後、その処理後の音信号を、ＳＰ信号処理４３ａ，４３ｂで並列に処理する入力構成である。
［入力１ｃｈ、全段１ｃｈ］は、Boost動作用の入力構成であり、ユーザは、アンプ１のＡｃｈに１つの音信号を入力し、対応するコンフィグデータにより、アンプ１は、Ａｃｈの入力信号を、ＩＮ信号処理４１ａとＳＰ信号処理４３ａで処理する入力構成である。
［入力２ｃｈ、混合］は、Boost動作用の入力構成であり、ユーザは、アンプ１のＡｃｈとＢｃｈに独立した２つの音信号を入力し、対応するコンフィグデータにより、アンプ１は、２つの入力信号を混合し、上述した［入力１ｃｈ、＊＊（「＊」はワイルドカード）］の入力構成と同様の態様で、その和の音信号に、ＩＮ信号処理とＳＰ信号処理とを施す入力構成である。この場合、［出力構成］に応じて、ＩＮ信号処理とＳＰ信号処理の経路が一意に決まる。
【００２１】
図６のアンプモードのテーブルを参照すると、ユーザにより、まず出力構成のいずれかが選択されると、選択された出力構成で入力構成が制限され、その入力構成だけが選択可能となる。例えば、ユーザが[FULL＋FULL]を選択すると、［入力２ｃｈ、全段２ｃｈ］［入力１ｃｈ、全段２ｃｈ］［入力２ｃｈ、混合］の何れかの入力構成を選択可能となる。次に、ユーザが、選択可能な入力構成の１つを選択すると、アンプ１は、選択された出力構成と入力構成に応じた１つのアンプモードを選択して、そのモードに対応するコンフィグデータをデジタル信号処理部２１に適用する。例えば、［入力２ｃｈ、全段２ｃｈ］を選択すると、モード１のアンプモードが選択される。モード１のアンプ１では、ルート制御ａが(a1)DUALに設定され、Ａｃｈの入力信号はＩＮ信号処理４１ａで処理され、Ｂｃｈの入力信号はＩＮ信号処理４１ｂで処理される。そして、ルート制御ｂが(b1)DUALに設定され、ＩＮ信号処理４１ａで処理された音信号はＳＰ信号処理４３ａで処理され、ＩＮ信号処理４１ｂで処理された音信号はＳＰ信号処理４３ｂで処理される。これらルート制御ａとルート制御ｂの設定をまとめて「（a1, b1）」で示す（図６）。このコンフィグデータの適用時に、ＳＰ信号処理４３ａ，４３ｂの各ブロックのパラメータセットには、選択されたモード１のコンフィグデータと、ＡｃｈとＢｃｈの出力に接続されたスピーカ３に応じてユーザが選択したFULLタイプの２スピーカシステム（２つの[FULL]）に対応する２つのＳＰプリセットとに基づいて初期設定値が設定される。このモード１では、接続された２つのスピーカ３に適した信号処理が施された全可聴周波数帯域の音信号が、アンプ１のＡｃｈ、Ｂｃｈから出力される。
【００２２】
メモリ１１には、複数のアンプモードに対応する複数のコンフィグデータが記憶されている。各コンフィグデータは、ルート制御ａ，ｂの設定、ＡｃｈとＢｃｈに接続すべき２つのスピーカの各タイプを指定するスピーカ情報、および、２つのＳＰ信号処理の各ブロックで行う処理の種類を決める処理情報を含み、デジタル信号処理部２１の入力部から出力部までの音信号の経路と、その経路における信号処理とを規定する。すなわち、アンプモードに応じたコンフィグデータをデジタル信号処理部２１に適用することにより、そのアンプモードにおけるパワーアンプ１の動作が実現される。
【００２３】
ところで、パワーアンプ１の各出力に接続されるスピーカ３には、FULL、SUB、BI-AMPなどのタイプがあり、アンプ１から接続されたスピーカ３に、そのスピーカ３の周波数特性や位相特性などに応じて調整され、かつ、そのスピーカ３の許容入力に応じて電力制限された音信号を供給することにより、スピーカ３が持つ性能を十分に引き出すことができる。このため、アンプモードの選択時には、アンプ１が、ＳＰ信号処理４３ａ（４３ｂ）の各ブロックに、接続されたスピーカ３に応じてユーザが選択したＳＰプリセットに基づいて、パラメータセット（複数パラメータ）を初期設定する。なお、各スピーカのＳＰプリセットは、そのスピーカのメーカー等が、そのスピーカ用に用意したパラメータセットであり、周波数特性をフラットにするパラメータや、遅延時間を示すパラメータや、許容入力を示すパラメータや、推奨するカットオフ周波数等が含まれている。
ここで、図４の各ＳＰ信号処理の各ブロックの信号処理を説明する。クロスオーバー５０は、接続されたスピーカ３の組み合わせに応じて、入力された音信号から、指定されたカットオフ周波数に基づいて、低域の音信号または高域の音信号を取り出す。各ｃｈのクロスオーバー５０で音信号から高域と低域の何れを取り出して出力するか、或いは、音信号をそのまま出力するかは、選択されたアンプモードのコンフィグデータが指定する。例えば、ユーザにより[FULL＋SUB]または[BI-AMP]の出力構成が指定された場合に、ユーザの選択したＳＰプリセットに基づいてカットオフ周波数を決め、そのカットオフ周波数でＡｃｈの入力信号を低域と高域の音信号に分けてそれぞれＡｃｈとＢｃｈとから出力する。また、ＥＱ５２は、音信号の周波数特性を調整するイコライザであり、ここでは、接続されたスピーカ３から放音される音の周波数特性を平坦化するのに用いられる。このＥＱ５２は、所望の周波数特性に近づけて音作りするのに用いてもよい。リミッタ５３は、アナログ電力増幅部２３からの出力の電力値が、指定された制限値を超えないように、音信号のレベルを制限する。その制限値は、アナログ電力増幅部２３の出力可能電力や、接続されたスピーカ３の許容入力に応じて設定される。BOOST動作時にはその制限値を緩めて、大出力を可能とする。また、ディレイ５１は、音信号を、指定された遅延時間だけ遅延して出力する。一般に、複数のスピーカ３から放音される音の位相を相互に揃えるのに用いられるが、特に、[FULL＋SUB]や[BI-AMP]の場合には、高域用スピーカと低域用スピーカの位相合わせに用いられる。
【００２４】
例えば、ユーザが[FULL＋FULL]の出力構成と、［入力１ｃｈ、全段２ｃｈ］の入力構成を選択すると、アンプ１は、対応するモード２を選択し、モード２のコンフィグデータをデジタル信号処理部２１に適用する。これにより、ルート制御ａ，ｂには（a2, b1）が設定される。すなわち、ルート制御ａが(a2)PARALLELに設定され、ルート制御ｂが(b1)DUALに設定される。このとき、ＳＰ信号処理４３ａ，４３ｂのパラメータセットには、モード２のコンフィグデータと、ユーザが選択したFULLタイプの２つのスピーカシステム（２つの[FULL]）の２つのＳＰプリセットとに基づいて初期設定値が設定される。接続された２つの[FULL]タイプのスピーカ３に適した信号処理（周波数特性の平坦化、位相制御、電力制限など）が施された全可聴帯域の音信号が、アンプ１のＡｃｈ、Ｂｃｈから出力される。
【００２５】
ユーザが[FULL＋FULL]と［入力２ｃｈ、混合］を選択すると、アンプ１は、対応するモード３を選択し、モード３のコンフィグデータをデジタル信号処理部２１に適用する。ルート制御ａ，ｂには（a3, b1）が設定され、ＳＰ信号処理４３ａ，４３ｂのパラメータセットは、モード３のコンフィグデータと、ユーザが選択した２つの[FULL]の２つのＳＰプリセットとに基づいて初期設定される。
【００２６】
ユーザが[FULL＋SUB]の出力構成と［入力１ｃｈ、後段２ｃｈ］の入力構成を選択すると、アンプ１は、対応するモード８を選択し、モード８のコンフィグデータをデジタル信号処理部２１に適用する。ルート制御ａ，ｂには（a1, b2）が設定され、ＳＰ信号処理４３ａ，４３ｂのパラメータセットは、モード８のコンフィグデータと、ユーザが選択した[SUB]と[FULL]の２つのＳＰプリセットとに基づいて初期設定値が設定される。アンプ１のＡｃｈに接続されたSUBタイプのスピーカ３（[SUB]）には、Ａｃｈのクロスオーバー５０でカットオフ周波数に基づいてＡｃｈの入力信号から抽出された低域の音信号が、更にそのスピーカ３に適した信号処理を施された後に出力され、アンプ１のＢｃｈに接続されたFULLタイプのスピーカ３（[FULL]）には、Ｂｃｈのクロスオーバー５０でカットオフ周波数に基づいてＡｃｈの入力信号から抽出された高域の音信号が、更にそのスピーカ３に適した信号処理を施された後に出力される。ここで、高域と低域の音信号の抽出用のカットオフ周波数は一致させるべきである。アンプ１は、ユーザにより選択された[FULL]と[SUB]の２つのＳＰプリセットに基づき１つのカットオフ周波数を決める。例えば、[FULL]のＳＰプリセットの推奨カットオフ周波数が[SUB]のＳＰプリセットの推奨カットオフ周波数より低い場合は、[FULL]のカットオフ周波数を上げて[SUB]の（推奨）カットオフ周波数に合わせ、また、[FULL]のＳＰプリセットの推奨カットオフ周波数が[SUB]のＳＰプリセットの推奨カットオフ周波数より高い場合は、[SUB]のカットオフ周波数を上げて[FULL]の（推奨）カットオフ周波数に合わせるようにするのがよい。
【００２７】
ユーザが[SUB＋SUB]の出力構成と［入力２ｃｈ、全段２ｃｈ］の入力構成を選択すると、アンプ１は、対応するモード４を選択し、モード４のコンフィグデータをデジタル信号処理部２１に適用する。ルート制御ａ，ｂには（a3, b1）が設定され、ＳＰ信号処理４３ａ，４３ｂのパラメータセットは、モード４のコンフィグデータと、ユーザが選択した２つの[SUB]の２つのＳＰプリセットが適用される。アンプ１のＡｃｈに接続された[SUB]タイプのスピーカ３には、クロスオーバー５０でそのスピーカ３に適したカットオフ周波数に基づいてＡｃｈの入力信号から抽出された低域の音信号が出力され、アンプ１のＢｃｈに接続された[SUB]タイプのスピーカ３には、クロスオーバー５０でそのスピーカ３に適したカットオフ周波数に基づいてＢｃｈの入力信号から抽出された低域の音信号が出力される。各ｃｈのカットオフ周波数には、そのｃｈで選択されたＳＰプリセットに含まれる推奨カットオフ周波数が用いられる。
【００２８】
ユーザが[BI-AMP]の出力構成と［入力１ｃｈ、後段２ｃｈ］の入力構成を選択すると、アンプ１は、対応するモード１０を選択し、モード１０のコンフィグデータをデジタル信号処理部２１に適用する。ルート制御ａ，ｂには（a1, b2）が設定され、ＳＰ信号処理４３ａ，４３ｂの各ブロックのパラメータセットは、モード１０のコンフィグデータと、ユーザが選択した[BI-AMP]タイプの１つのスピーカシステムに対応する１つのＳＰプリセットに基づいて初期設定値が設定される。アンプ１のＡｃｈに接続された、BI-AMPタイプのスピーカ３の低域スピーカ用端子には、Ａｃｈのクロスオーバー５０でカットオフ周波数に基づいて抽出された低域の音信号が出力され、アンプ１のＢｃｈに接続されたそのスピーカ３の高域スピーカ用端子には、Ｂｃｈのクロスオーバー５０でカットオフ周波数に基づいて抽出された高域の音信号が出力される。[BI-AMP]のＳＰプリセットでは、高域と低域の音信号の抽出用のカットオフ周波数は同じ（１つ）であり、そのまま２つのクロスオーバー５０に設定される。
【００２９】
ユーザが[BI-AMP]と［入力２ｃｈ、混合］を選択すると、アンプ１は、対応するモード１１を選択し、モード１１のコンフィグデータをデジタル信号処理部２１に適用する。ルート制御ａ，ｂには（a3, b2）が設定され、ＳＰ信号処理４３ａ，４３ｂのパラメータセットは、モード１１のコンフィグデータと、ユーザが選択した[BI-AMP]の１つのＳＰプリセットとに基づいて初期設定値が設定される。
【００３０】
ユーザが[FULL(BOOST)]の出力構成と［入力１ｃｈ、全段１ｃｈ］の入力構成を選択すると、アンプ１は、モード１２を選択し、モード１２のコンフィグデータをデジタル信号処理部２１に適用する。ルート制御ａ，ｂには(a1,b3)が設定され、ＳＰ信号処理４３ａのブロックのパラメータセットは、モード１２のコンフィグデータと、ユーザが選択した[FULL]タイプのスピーカシステムのＳＰプリセットとに基づいて初期設定値が設定される。
【００３１】
図８に、本発明に係るパワーアンプ１のコンフィグウィザード処理のフローチャートと、その各処理ステップで表示される表示画面を示す。
ユーザが、パネルのメニューキー（Menu）３０ｃを押すと、ＣＰＵ１０は、表示器１５に、《ａ》の[MENU]画面を表示させる。この[MENU]画面で、ユーザがパネルのエンコーダー３０ｅを回して画面中のカーソルを[CONFIG WIZARD]に移動し、エンコーダー３０ｅをプッシュすると、ＣＰＵ１０は、このコンフィグウィザード処理を起動する。このように、エンコーダー３０ｅのプッシュスイッチはエンターキーとして機能する。また、エンコーダ３０ｅの回転により、ある画面ではカーソルが移動し、別の画面ではパラメータ値が変化する。ある文字にアイコンがあるとき、その文字は背景白の黒文字で表示され、ある文字にアイコンがないとき、その文字は背景黒の白抜き文字で表示される。また、これから説明する各選択画面には、選択肢毎のチェック欄が表示されており、直近に選択された選択肢のチェック欄にチェックが入っている。コンフィグウィザード処理が開始されると、ステップＳ１０で、ＣＰＵ１０は、《ｂ》の[SP TYPE]画面を表示器１５に表示する。[SP TYPE]画面では、６つの出力構成の１つを、ユーザがエンコーダー３０ｅを回すことで、スクロールしつつカーソルを動かして仮選択できる。この画面内の右部には、仮選択されている出力構成に応じたアイコン（図７（ａ））が表示される。所望の出力構成が選択されたら、ユーザは、エンコーダー３０ｅをプッシュし、出力構成の選択を確定する。ＣＰＵ１０は、その出力構成の矩形のチェック欄にチェックを入れ、ステップＳ１１に進む（[NEXT]）。
【００３２】
ステップＳ１１で、ＣＰＵ１０は、《ｃ》の[ROUTING]画面を表示器１５に表示させる。この[ROUTING]画面には、ステップＳ１０で選択された出力構成に応じて制限された入力構成が表示され、ユーザはカーソルを動かしてその何れか１つを仮選択する。例えば、ステップＳ１０で[FULL＋FULL]が選択された場合は、[IN:2CH ALL:2CH]（入力２ｃｈ、全段２ｃｈ）、[IN:1CH ALL:2CH]（入力１ｃｈ、全段２ｃｈ）、[IN:2CH MIX]（入力２ｃｈ、混合）の３つの入力構成が表示される。所望の入力構成が選択されたら、ユーザは、エンコーダー３０ｅをプッシュし、入力構成の選択を確定する。この画面内の右部には、選択された出力構成と仮選択されている入力構成とに対応する１つのアンプモードのアイコン（図７（ｂ））が表示される。ＣＰＵ１０は、その入力構成の矩形のチェック欄にチェックを入れ、ステップＳ１２に進む（[NEXT]）。なお、ステップＳ１１の処理中において、ユーザがリターンキー３０ｄを押すと、ＣＰＵ１０は、前の処理（Ｓ１０）に戻り（[BACK]）、出力構成の選択処理を再度実行する。
【００３３】
ここで表示される各アンプモードのアイコン（図７（ｂ））には、そのアンプモードの入力構成と出力構成のテキストと、そのアンプモードにおける処理の概要図が含まれる。《ｃ》の例では、[FULL＋FULL]が選択され、[IN:2CH ALL:2CH]が仮選択されているので、対応する［モード１ (a1.b1)］のアイコンが表示されている。ステップＳ１２で、ＣＰＵ１０は、選択された出力構成と入力構成とに対応する１つのアンプモード（例えば、モード１）を選択し、ステップＳ１３に進む。
【００３４】
ステップＳ１３で、ＣＰＵ１０は、まず、《ｄ》の[SP SERIES]画面を表示器１５に表示させる。《ｄ》の[SP SERIES]画面には、対象とするｃｈと、選択されたアンプモードでそのｃｈに接続すべきスピーカのタイプと、そのタイプに適合するスピーカシステムの製品が選択候補として表示される。メモリ１１には、各製品に対応して１つのＳＰプリセットが記憶されているので、ここでの１の製品の選択は、対応する１のＳＰプリセットの選択と看做せる。また、この画面で１つのタイプに適合する全製品を表示すると、数が多すぎてユーザが選びきれないので、ここでは、まず、製品のシリーズ、次に、個別の製品の２段階で、ユーザが１つの製品を選択するようになっている。《ｄ》に示すＡｃｈの[SP SERIES]画面の例では、対象ｃｈ［Ａ］、スピーカタイプ［FULL］であり、選択候補として、[FULL]タイプの製品を含む[A]、[CBR]、[Club V]の３シリーズと、一般製品を示す[<GENERIC>]および[<FLAT>]とが表示されている。ここで、ユーザは、カーソルを動かして、それらシリーズ乃至一般製品の何れか１つを仮選択する。所望のシリーズ乃至一般製品が仮選択されたら、ユーザは、エンコーダー３０ｅをプッシュし、そのシリーズ乃至一般製品の選択を確定する。ＣＰＵ１０は、対応する矩形のチェック欄にチェックを入れ、ステップＳ１３内の次の処理に進む（[NEXT]）。《ｄ》では、[CBR]のシリーズが選択されている。なお、上記処理中において、ユーザがリターンキー３０ｄを押すと、ＣＰＵ１０は、前の処理（Ｓ１１）に戻り（[BACK]）、入力構成の選択処理を再度実行できるようになる。
【００３５】
ステップＳ１３内の次の処理で、ＣＰＵ１０は、《ｅ》の[SP MODEL]画面を表示器１５に表示させる。《ｅ》の[SP MODEL]画面には、対象ｃｈ［Ａ］、その対象ｃｈのスピーカタイプ［FULL］と、選択された[CBR]シリーズで[FULL]タイプに該当する製品が表示されている。ここで、ユーザは、カーソルを動かして、それら製品のうちの何れか１つを仮選択する。所望の製品（ＳＰプリセット）が選択されたら、ユーザは、エンコーダー３０ｅをプッシュして、製品（ＳＰプリセット）の選択を確定する。ＣＰＵ１０は、対応する矩形のチェック欄にチェックを入れ、選択されたコンフィグデータがＡｃｈに加えてＢｃｈのスピーカタイプも指定している場合は（モード１〜モード９）、ステップＳ１３内の次の処理へ進み、Ａｃｈのスピーカタイプだけを指定している場合は（モード１０〜モード１５）、ステップＳ１４に進む。なお、上記処理中において、ユーザがリターンキー３０ｄを押すと、ＣＰＵ１０は、前の処理に戻り（[BACK]）、シリーズの選択処理を再度実行する。選択されたコンフィグデータのＡｃｈのスピーカタイプが[FULL]の場合、Ａｃｈの[SP MODEL]画面においては、[FULL]タイプの製品（ＳＰプリセット）のみが選択候補として表示される。また、Ａｃｈのスピーカタイプが[SUB]の場合、[SUB]タイプの製品のみが、[BI-AMP]の場合、[BI-AMP]タイプの製品のみが、それぞれ選択候補として同画面に表示される。
図示していないが、ステップＳ１３内の次の処理で、ＢｃｈのスピーカタイプがＡｃｈと同じ場合、ＣＰＵ１０は、Ａｃｈで選択された製品をＢｃｈでも選択するか否か、ユーザに尋ねる画面を表示器１５に表示する。ここで、ユーザが選択すると応答した場合は、ＣＰＵ１０は、ＢｃｈでもＡｃｈと同じ製品（ＳＰプリセット）を選択し、ステップＳ１４に進む。ここで、ユーザが選択しないと応答した場合、又は、ＢｃｈのスピーカタイプがＡｃｈと異なる場合は、ＣＰＵ１０は、上述したＡｃｈの場合と同様に、Ｂｃｈの[SP SERIES]画面でユーザから１つのシリーズの選択を受け付け、次いで、[SP MODEL]画面でユーザから１つの製品（ＳＰプリセット）の選択を受け付ける。その各選択処理中において、ユーザがリターンキー３０ｄを押すと、ＣＰＵ１０は、直前の選択処理に戻り（[BACK]）、直前の選択処理を再度実行する。そして、ＡｃｈとＢｃｈのＳＰプリセットの選択が終了すると、ＣＰＵ１０は、ステップＳ１４に進む。
【００３６】
ステップＳ１４で、ＣＰＵ１０は、選択されたアンプモードのコンフィグデータと、選択された１又は２のＳＰプリセットとに基づき、ルート制御ａ，ｂの設定とＳＰ信号処理４３ａ，４３ｂのパラメータセットを含む１つの設定プラン（複数パラメータ値）を決定する。そして、ＣＰＵ１０は、決定した設定プランを含む《ｆ》の[CONFIRMATION]画面を表示器１５に表示させる。ユーザは、エンコーダー３０ｅを回して[CONFIRMATION]画面中の設定プランをスクロールし、その各パラメータ値を確認する。問題なければ、ユーザは、エンコーダー３０ｅをプッシュし、適用を指示する。これにより、ＣＰＵ１０は、ステップＳ１５に進む（[APPLY]）。また、何か問題があれば、ユーザは、リターンキー３０ｄを操作し、ＣＰＵ１０は、前の処理（Ｓ１３）に戻って（[BACK]）、直前に行ったＡｃｈ又はＢｃｈのＳＰプリセットの選択処理を再度実行する。
【００３７】
ステップＳ１５で、ＣＰＵ１０は、ステップＳ１４で決定された設定プランの各パラメータ値を、ルート制御ａ，ｂ、ＳＰ信号処理４３ａ，４３ｂ等のパラメータセットに初期値として設定して、それらの信号処理に設定プランを適用する。パラメータ値の設定が完了すると、ＣＰＵ１０は、[EXECUTED!]を含む[CONFIG WIZARD]画面を表示器１５に表示させ、パワーアンプ１の設定が終了したことをユーザに知らせる。例えば、モード１が選択され、ｃｈＡとｃｈＢで[CBR12]が選択された場合は、アンプ１のＡｃｈからは、Ａｃｈの入力信号にCBR12に適した信号処理を施して電力増幅した音信号が出力され、アンプ１のＢｃｈからは、Ｂｃｈの入力信号にCBR12に適した信号処理を施して電力増幅した音信号が出力される。ここで、ユーザが、エンコーダー３０ｅをプッシュする（[OK]）と、ＣＰＵ１０は、コンフィグウィザード処理を終了し、ＣＰＵ１０は、《ｈ》のホーム画面を表示器１５に表示させる。このホーム画面には、ＡｃｈとＢｃｈの現在のゲインとともに、直近のコンフィグウィザード処理で選択されたＡｃｈおよびＢｃｈの製品（例えば[CBR12]）が表示される。なお、このコンフィグウィザード処理の実行前の図２のホーム画面では、Ａｃｈ、Ｂｃｈに別の製品 （[SW115V]）が表示されていた。なお、設定プランに基づき設定された各パラメータ値は、固定値ではなく、図示しない別の画面においてユーザが個別に調整できる。
【００３８】
コンフィグウィザード処理における設定プランの適用により、デジタル信号処理部２１の各ブロックは、選択されたアンプモード（コンフィグデータ）、および、選択された製品（ＳＰプリセット）に対応する信号処理を行う。例えば、モードを問わず、[FULL]タイプの１製品が選択されたｃｈのＳＰ信号処理４３では、その製品に対応するＳＰプリセットに基づいてパラメータセットが設定される。同様に、 ある[SUB]製品が選択されたｃｈのＳＰ信号処理４３には、その[SUB]製品のＳＰプリセットが適用される。モード７〜９の何れかが選択され、ある[FULL]製品とある[SUB]製品が選択された場合は、その[FULL]製品とその[SUB]製品の２つのＳＰプリセットに基づいて、ＳＰ信号処理４３のクロスオーバー５０におけるカットオフ周波数が決定される。
【００３９】
ユーザは、アンプ１のユーザインターフェースを使用して、ＩＮ信号処理４１ａ，４１ｂおよびＳＰ信号処理４３ａ，４３ｂのパラメータの値を調整できる。例えば、ユーザがＡｃｈつまみ３０ａを回すと、ＣＰＵ１０は、Ａｃｈのゲインを変える。また、クロスオーバー５０の編集画面に入り、カットオフ周波数を選択して、エンコーダー３０ｅでその値を変更できる。
【産業上の利用可能性】
【００４０】
以上説明した本発明にかかる実施形態は、２ｃｈのパワーアンプであったが、本発明は２ｃｈ以外の音響機器、例えば、４ｃｈ、８ｃｈ等の音響機器にも適用できる。その場合、２ｃｈずつをペアにして、そのペア毎に本発明の方法を適用してもよいし、３ｃｈ以上でグループを形成して、そのグループ毎に本発明の方法を適用してもよい。また、本発明のパワーアンプの設定方法は、パワーアンプに限らず、パワーアンプの前段に接続される種々の音響機器、例えば、スピーカプロセッサや、デジタルミキサの入出力を拡張するステージボックスなどに適用できる。また、一方のｃｈだけ信号処理する場合、Ａｃｈを使用していたが、Ｂｃｈを使用してもよい。また、モード７〜１１では、低域をＡｃｈで、高域をＢｃｈで処理していたが、逆にしてもよい。
以上の説明では、出力構成の選択肢は６つだったが、６つに限定する必要は無い。例えば、図６の表の[FULL＋FULL]、[SUB＋SUB]、[FULL＋SUB]の３つだけでも良い。また、入力構成の選択肢も、実施例に限定する必要は無い。本発明では、選択されるモード数が、出力構成の数と入力構成の数との積より少ない数にできればよい。
以上説明した本発明にかかる実施形態は、出力構成と、出力構成に応じて制限された入力構成をユーザに提示して、ユーザに出力構成および入力構成を指定させ、指定した出力構成および入力構成に応じて制限されたアンプモードをユーザに提示して、その１つのアンプモードを選択させることを特徴としている。また、ユーザが選択したアンプモードには、パワーアンプにどういう特性のスピーカを接続するかの情報が入っているので、そのアンプモードで選択できるＳＰプリセットが絞られるようになることを特徴としている。
【符号の説明】
【００４１】
１  パワーアンプ、２  外部ソース、３  スピーカ、１０  ＣＰＵ、１１  フラッシュメモリ、１２  ＲＡＭ、１３  その他Ｉ／Ｏ、１４  操作子、１５  表示器、２０  波形入力部、２１  デジタル信号処理部、２２  D/A・A/D部、２３  アナログ電力増幅部、２４  バス、３０ａ  Ａｃｈつまみ、３０ｂ  Ａｃｈボタン、３０ｃ  メニューキー、３０ｄ  リターンキー、３０ｅ  ロータリーエンコーダー、３０ｆ  Ｂｃｈつまみ、３０ｇ  Ｂｃｈボタン、３１  電源スイッチ、４０  ルート制御ａ、４１ａ，４１ｂ  信号処理、４２  ルート制御ｂ、４３ａ，４３ｂ  信号処理、５０  クロスオーバー、５１  ディレイ、５２  ＥＱ、５３  リミッタ
【図１】
0006728832.tif 000002
【図２】
0006728832.tif 000003
【図３】
0006728832.tif 000004
【図４】
0006728832.tif 000005
【図５】
0006728832.tif 000006
【図６】
0006728832.tif 000007
【図７】
0006728832.tif 000008
【図８】
0006728832.tif 000009